(57)【要約】【課題】  信号系列を効率的、かつ適切に割り当てる。【解決手段】  信号系列割当装置１は、通信エリア内のエリアのうち、信号系列を割り当てるエリアのエリア半径を算出するセル半径算出部２と、エリア半径に基づいて通信エリアに割り当てる信号系列を構成する信号数を算出する信号数算出部５と、信号数に基づいて通信エリアに信号系列を割り当てる信号系列割当部７と、を備える。【選択図】  図１
2011188475.tif 000002
【特許請求の範囲】
【請求項１】
移動体通信システムにおける基地局の複数の通信エリアに対して１つ以上の信号から構成される信号系列を割り当てる信号系列割当装置であって、
通信エリア内のエリアのうち、信号系列を割り当てるエリアのエリア半径を算出するエリア半径算出手段と、
前記エリア半径算出手段により算出されたエリア半径に基づいて、通信エリアに割り当てる信号系列を構成する信号数を算出する信号数算出手段と、
前記信号数算出手段により算出された信号数に基づいて、通信エリアに信号系列を割り当てる信号系列割当手段と、
を備える信号系列割当装置。
【請求項２】
各通信エリアに対して、割り当て可能な信号を含む信号テーブルが予め２つ以上に分割された複数の分割信号テーブルのうち１つの分割信号テーブルを選択する分割信号テーブル選択手段をさらに備え、
前記信号系列割当手段は、通信エリアに信号系列を割り当てる際、前記分割信号テーブル選択手段により当該通信エリアに対して選択された分割信号テーブルと、前記信号数算出手段により算出された信号数とに基づいて、当該通信エリアに信号系列を割り当てる、
ことを特徴とする、請求項１に記載の信号系列割当装置。
【請求項３】
前記分割信号テーブル選択手段は、一の管理主体が管理する基地局の通信エリアのうち、他の管理主体が管理する基地局の通信エリアと隣接する通信エリアである境界エリアに対して、他の管理主体が管理する基地局における境界エリアに割り当てられている信号系列を構成する信号と異なる信号から構成される分割信号テーブルを選択することを特徴とする、請求項２に記載の信号系列割当装置。
【請求項４】
前記分割信号テーブル選択手段は、予め定められた通信エリアに対して、周辺の通信エリアとは異なる分割信号テーブルを選択することを特徴とする、請求項２または３に記載の信号系列割当装置。
【請求項５】
前記エリア半径算出手段は、基地局からの電波を送信するアンテナの高さと当該電波の送信方向とに基づいてエリア半径を算出することを特徴とする、請求項１〜４の何れか一項に記載の信号系列割当装置。
【請求項６】
前記エリア半径算出手段は、基地局と当該基地局からの電波を送信するアンテナとの伝搬遅延に基づいてエリア半径を算出することを特徴とする、請求項１〜５の何れか一項に記載の信号系列割当装置。
【請求項７】
前記エリア半径算出手段は、基地局からの電波を中継して増幅させる電波増幅装置の装置内遅延量に基づいてエリア半径を算出することを特徴とする、請求項１〜６の何れか一項に記載の信号系列割当装置。
【請求項８】
前記エリア半径算出手段は、基地局からの電波を中継して増幅させる電波増幅装置の電波の増幅度合いに基づいてエリア半径を算出することを特徴とする、請求項１〜７の何れか一項に記載の信号系列割当装置。
【請求項９】
前記信号系列割当手段は、所定の基点との距離が短い通信エリアから順に信号系列を割り当てることを特徴とする、請求項１〜８の何れか一項に記載の信号系列割当装置。
【請求項１０】
前記信号系列割当手段は、信号系列を通信エリアに割り当てる際、当該通信エリアと、当該信号系列を構成する信号と同じ信号を少なくとも１つ含む信号系列を割り当てた別の通信エリアとの離隔距離を確保できる信号系列を割り当て、割り当て可能な信号すべてについて所定の離隔距離を確保できない場合は、最も長い離隔距離を確保できる信号から構成される信号系列を割り当てることを特徴とする、請求項１〜９の何れか一項に記載の信号系列割当装置。
【請求項１１】
移動体通信システムにおける基地局の複数の通信エリアに対して１つ以上の信号から構成される信号系列を割り当てる信号系列割当装置が、通信エリア内のエリアのうち、信号系列を割り当てるエリアのエリア半径を算出するエリア半径算出ステップと、
信号系列割当装置が、前記エリア半径算出ステップにおいて算出されたエリア半径に基づいて、通信エリアに割り当てる信号系列を構成する信号数を算出する信号数算出ステップと、
信号系列割当装置が、前記信号数算出ステップにおいて算出された信号数に基づいて、通信エリアに信号系列を割り当てる信号系列割当ステップと、
を含む信号系列割当方法。
【請求項１２】
前記信号系列割当手段は、基地局の複数の通信エリアのうち、基地局に対する信号系列の送信タイミングが互いに異なる通信エリアに、重複する信号を含む信号系列を割り当てることを特徴とする、請求項１〜１０の何れか一項に記載の信号系列割当装置。
【請求項１３】
前記信号系列割当手段は、基地局の複数の通信エリアのうち、基地局に対する信号系列の送信タイミングが互いに異なり、かつ前記信号数算出手段により算出された信号数が互いに同じである通信エリアに、同じ信号を含む信号系列を割り当てることを特徴とする、請求項１２に記載の信号系列割当装置。
【請求項１４】
前記信号系列割当手段は、当該基地局のうち、前記信号数算出手段により算出された信号数が大きい通信エリア順に信号系列を割り当てることを特徴とする、請求項１２または１３に記載の信号系列割当装置。
【請求項１５】
前記信号系列割当手段は、一の通信エリアに信号系列を割り当てる際、当該一の通信エリアにおける基地局に対する信号系列の送信タイミングと同じであり、かつ当該信号系列を構成する信号と同じ信号を少なくとも１つ含む信号系列を割り当てた他の通信エリアと、前記一の通信エリアとの離隔距離を確保できる信号系列を割り当てることを特徴とする、請求項１２〜１４の何れか一項に記載の信号系列割当装置。
【請求項１６】
前記信号系列割当手段は、前記一の通信エリアに離隔距離を確保できる信号系列を割り当てることができない場合、前記他の通信エリアにおける基地局に対する信号系列の送信タイミングを異なる送信タイミングに変更することを特徴とする、請求項１５に記載の信号系列割当装置。
【発明の詳細な説明】
【技術分野】
【０００１】
本発明は、移動機が接続開始時等に基地局へ送出するランダムアクセス制御信号の信号系列を割り当てる信号系列割当装置及び信号系列割当方法に関する。
【背景技術】
【０００２】
移動体通信において、移動機は接続開始時等に基地局へランダムアクセス制御信号を送出する。ＬＴＥ（Long Term Evolution）方式においては、その際に使用する制御信号系列であるＲＡＣＨ  Ｒｏｏｔ  Ｓｅｑｕｅｎｃｅ（以降、信号系列）を、基地局の通信エリアである基地局セクタごとに運用者が割り当てる必要がある。例えば、非特許文献１では、ＲＡＣＨ  Ｒｏｏｔ  Ｓｅｑｕｅｎｃｅは８３８個の系列数から成ることが記載されている。
【先行技術文献】
【非特許文献】
【０００３】
【非特許文献１】3GPP(3RD Generation Partnership Project) TS36.211 V8.7.0 (5.7.2 Preamble sequence generation)
【発明の概要】
【発明が解決しようとする課題】
【０００４】
ところで、信号系列を基地局セクタごとに割り当てる際、基地局セクタごとに移動機から基地局までの最大伝搬距離等（エリア内の高速動線の有無や、装置内遅延も考慮する必要がある）に応じて、信号系列を構成する信号を一つ以上（複数個）割り当てる必要があり、かつ周辺の基地局セクタで信号の重複がないように繰り返し割り当てる必要がある。
【０００５】
しかし、信号系列を構成する信号の数は絶対数が決まっており、必要最小限の割り当て数を算出しないと、信号系列を構成する信号が不足する恐れがある。信号が不足すると、同じ信号を繰り返し割り当てることになり、その結果、周辺の基地局セクタで信号が重複し、移動機が通信接続できなくなる恐れがある。
【０００６】
そこで、本発明は、信号系列を効率的、かつ適切に割り当てる信号系列割当装置及び信号系列割当方法を提供することを目的とする。
【課題を解決するための手段】
【０００７】
上述の課題を解決するために、本発明の信号系列割当装置は、移動体通信システムにおける基地局の複数の通信エリアに対して１つ以上の信号から構成される信号系列を割り当てる信号系列割当装置であって、通信エリア内のエリアのうち、信号系列を割り当てるエリアのエリア半径を算出するエリア半径算出手段と、前記エリア半径算出手段により算出されたエリア半径に基づいて、通信エリアに割り当てる信号系列を構成する信号数を算出する信号数算出手段と、前記信号数算出手段により算出された信号数に基づいて、通信エリアに信号系列を割り当てる信号系列割当手段と、を備えている。
【０００８】
また、本発明の信号系列割当方法は、移動体通信システムにおける基地局の複数の通信エリアに対して１つ以上の信号から構成される信号系列を割り当てる信号系列割当装置が、通信エリア内のエリアのうち、信号系列を割り当てるエリアのエリア半径を算出するエリア半径算出ステップと、信号系列割当装置が、前記エリア半径算出ステップにおいて算出されたエリア半径に基づいて、通信エリアに割り当てる信号系列を構成する信号数を算出する信号数算出ステップと、信号系列割当装置が、前記信号数算出ステップにおいて算出された信号数に基づいて、通信エリアに信号系列を割り当てる信号系列割当ステップと、を含んでいる。
【０００９】
この発明によれば、通信エリア内のエリアのうち、信号系列を割り当てるエリアのエリア半径を算出し、算出されたエリア半径に基づいて、通信エリアに割り当てる信号系列を構成する信号数を算出し、算出された信号数に基づいて、通信エリアに信号系列を割り当てる。これにより、信号系列を割り当てるエリアに対して、信号系列を過剰に割り当てることなく、必要最小限の信号系列を割り当てることができる。
【００１０】
また、本発明の信号系列割当装置において、各通信エリアに対して、割り当て可能な信号を含む信号テーブルが予め２つ以上に分割された複数の分割信号テーブルのうち１つの分割信号テーブルを選択する分割信号テーブル選択手段をさらに備え、前記信号系列割当手段は、通信エリアに信号系列を割り当てる際、前記分割信号テーブル選択手段により当該通信エリアに対して選択された分割信号テーブルと、前記信号数算出手段により算出された信号数とに基づいて、当該通信エリアに信号系列を割り当てることが好ましい。
【００１１】
この発明によれば、各通信エリアに対して、割り当て可能な信号を含む信号テーブルが予め２つ以上に分割された複数の分割信号テーブルのうち１つの分割信号テーブルを選択し、通信エリアに信号系列を割り当てる際、当該通信エリアに対して選択された分割信号テーブルと、当該通信エリアに対して信号数算出手段により算出された信号数とに基づいて、当該通信エリアに信号系列を割り当てる。これにより、各通信エリアに対して、それぞれ独立した分割信号テーブルを割り当てることができ、信号系列をより柔軟に割り当てることができる。
【００１２】
また、本発明の信号系列割当装置において、前記分割信号テーブル選択手段は、一の管理主体が管理する基地局の通信エリアのうち、他の管理主体が管理する基地局の通信エリアと隣接する通信エリアである境界エリアに対して、他の管理主体が管理する基地局における境界エリアに割り当てられている信号系列を構成する信号と異なる信号から構成される分割信号テーブルを選択することが好ましい。
【００１３】
この発明によれば、境界エリアに対して、隣接する他の管理主体の境界エリアと異なる分割信号テーブルを選択する。これにより、管理主体ごとに信号系列を割り当てる通信エリア（管轄）が分かれている場合、各管轄の境界エリアに対して異なる分割信号テーブルを選択することで、境界エリアにおいては管轄を跨いで信号系列の重複確認を行う必要がなくなる。つまり、通信エリアに対して、他の管理主体が管理する管轄との干渉も考慮に入れて、必要最小限の信号系列を割り当てることができる。
【００１４】
また、本発明の信号系列割当装置において、前記分割信号テーブル選択手段は、予め定められた通信エリアに対して、周辺の通信エリアとは異なる分割信号テーブルを選択することが好ましい。
【００１５】
この発明によれば、予め定められた通信エリアに対して、周辺の通信エリアとは異なる分割信号テーブルを選択する。例えば、移動機が高速で移動する通信エリア（例えば新幹線の沿線上等。以降、高速動線と呼ぶ）では、ドップラシフトの影響から信号系列が周辺の信号系列に干渉し、接続品質に影響を与える恐れがある。この発明により、例えば、高速動線に対して周辺の通信エリアとは異なる分割信号テーブルを対応付けることで、周辺の信号系列の干渉を受けず、接続品質に影響を与えることがなくなる。つまり、通信エリアに対して、周辺の信号系列の干渉も考慮に入れて、必要最小限の信号系列を割り当てることができる。
【００１６】
また、本発明の信号系列割当装置において、前記エリア半径算出手段は、基地局からの電波を送信するアンテナの高さと当該電波の送信方向とに基づいてエリア半径を算出することが好ましい。
【００１７】
この発明によれば、基地局からの電波を送信するアンテナの高さと当該電波の送信方向とに基づいてエリア半径を算出する。従来のＷ−ＣＤＭＡ方式を用いている移動体通信システムでは、エリア半径の大きさに基づいてランダムアクセス制御信号を割り当てる必要はなかったため、エリア半径の設定としては、基地局装置の処理能力の限界までをセル半径としてみなすことができた。しかしながら、実際の基地局から移動機への最大伝搬距離と差分が大きく、信号系列を過剰に割り振ってしまうため、信号系列の重複を回避する割り当てにおいて、信号系列の離隔の確保が困難となる。この発明により、実際に電波が届くサービスエリアに近いセル半径を算出することができる。そして、そのセル半径に基づき信号数を算出して信号系列を割り当てることで、通信エリアに対して、必要最小限の信号系列を割り当てることができる。
【００１８】
また、本発明の信号系列割当装置において、前記エリア半径算出手段は、基地局と当該基地局からの電波を送信するアンテナとの伝搬遅延に基づいてエリア半径を算出することが好ましい。
【００１９】
この発明によれば、基地局と当該基地局からの電波を送信するアンテナとの伝搬遅延に基づいてエリア半径を算出する。これにより、例えば、基地局装置を送信規定点とし、電波を送信するアンテナと接続されている当該基地局間との伝搬遅延を考慮してエリア半径を算出することができ、実際に電波が届くサービスエリアに近いセル半径を算出することができる。そして、そのセル半径に基づき信号数を算出して信号系列を割り当てることで、通信エリアに対して、必要最小限の信号系列を割り当てることができる。なお、伝搬遅延は実測によって求めることができる。
【００２０】
また、本発明の信号系列割当装置において、前記エリア半径算出手段は、基地局からの電波を中継して増幅させる電波増幅装置の装置内遅延量に基づいてエリア半径を算出することが好ましい。
【００２１】
この発明によれば、基地局からの電波を中継して増幅させる電波増幅装置の装置内遅延量に基づいてエリア半径を算出する。これにより、実際に電波が届くサービスエリアに近いセル半径を算出することができる。そして、そのセル半径に基づき信号数を算出して信号系列を割り当てることで、通信エリアに対して、必要最小限の信号系列を割り当てることができる。
【００２２】
また、本発明の信号系列割当装置において、前記エリア半径算出手段は、基地局からの電波を中継して増幅させる電波増幅装置の電波の増幅度合いに基づいてエリア半径を算出することが好ましい。
【００２３】
この発明によれば、基地局からの電波を中継して増幅させる電波増幅装置の電波の増幅度合いに基づいてエリア半径を算出する。これにより、実際に電波が届くサービスエリアに近いセル半径を算出することができる。そして、そのセル半径に基づき信号数を算出して信号系列を割り当てることで、通信エリアに対して、必要最小限の信号系列を割り当てることができる。
【００２４】
また、本発明の信号系列割当装置において、前記信号系列割当手段は、所定の基点との距離が短い通信エリアから順に信号系列を割り当てることが好ましい。
【００２５】
この発明によれば、所定の基点との距離が短い通信エリアから順に信号系列を割り当てる。これにより、周辺の通信エリアで信号が重複しないようにすることができる。
【００２６】
また、本発明の信号系列割当装置において、前記信号系列割当手段は、信号系列を通信エリアに割り当てる際、当該通信エリアと、当該信号系列を構成する信号と同じ信号を少なくとも１つを含む信号系列を割り当てた別の通信エリアとの離隔距離を確保できる信号系列を割り当て、割り当て可能な信号すべてについて所定の離隔距離を確保できない場合は、最も長い離隔距離を確保できる信号から構成される信号系列を割り当てることが好ましい。
【００２７】
この発明によれば、信号系列を通信エリアに割り当てる際、当該通信エリアと、当該信号系列を構成する信号と同じ信号を少なくとも１つを含む信号系列を割り当てた別の通信エリアとの離隔距離を確保できる信号系列を割り当て、割り当て可能な信号すべてについて所定の離隔距離を確保できない場合は、最も長い離隔距離を確保できる信号から構成される信号系列を割り当てる。これにより、周辺の通信エリアで信号の重複がないように、あるいは同じ信号を割り当てられた通信エリアとなるべく離隔距離がとれるように、繰り返し信号系列を割り当てることができる。
【００２８】
また、本発明の信号系列割当装置において、前記信号系列割当手段は、基地局の複数の通信エリアのうち、基地局に対する信号系列の送信タイミングが互いに異なる通信エリアに、重複する信号を含む信号系列を割り当てることが好ましい。
【００２９】
この発明によれば、基地局の複数の通信エリアのうち、基地局に対する信号系列の送信タイミングが互いに異なる通信エリアに、重複する信号を含む信号系列を割り当てる。このような場合、当該通信エリアにおいて、基地局に対する信号系列の送信タイミングが互いに異なる（衝突しない）ため、重複する信号を含む信号系列を割り当てても移動機は通信接続することが可能である。つまり、信号系列を割り当てるエリアに対して、信号系列を過剰に割り当てることなく、必要最小限の信号系列を割り当てることができる。
【００３０】
また、本発明の信号系列割当装置において、前記信号系列割当手段は、基地局の複数の通信エリアのうち、基地局に対する信号系列の送信タイミングが互いに異なり、かつ前記信号数算出手段により算出された信号数が互いに同じである通信エリアに、同じ信号を含む信号系列を割り当てることが好ましい。
【００３１】
この発明によれば、基地局の複数の通信エリアのうち、基地局に対する信号系列の送信タイミングが互いに異なり、かつ前記信号数算出手段により算出された信号数が互いに同じである通信エリアに、同じ信号を含む信号系列を割り当てる。これにより、信号系列を割り当てるエリアに対して、信号系列を過剰に割り当てることなく、必要最小限の信号系列を割り当てることができる。
【００３２】
また、本発明の信号系列割当装置において、前記信号系列割当手段は、当該基地局のうち、前記信号数算出手段により算出された信号数が大きい通信エリア順に信号系列を割り当てることが好ましい。
【００３３】
この発明によれば、当該基地局のうち、前記信号数算出手段により算出された信号数が大きい通信エリア順に信号系列を割り当てる。これにより、基地局の複数の通信エリアのうち、基地局に対する信号系列の送信タイミングが互いに異なる通信エリアに、重複する信号を含む信号系列を割り当てる際の処理が具体化され、繰り返し信号系列を割り当てることができる。
【００３４】
また、本発明の信号系列割当装置において、前記信号系列割当手段は、一の通信エリアに信号系列を割り当てる際、当該一の通信エリアにおける基地局に対する信号系列の送信タイミングと同じであり、かつ当該信号系列を構成する信号と同じ信号を少なくとも１つを含む信号系列を割り当てた他の通信エリアと、一の通信エリアとの離隔距離を確保できる信号系列を割り当てることが好ましい。
【００３５】
この発明によれば、一の通信エリアに信号系列を割り当てる際、当該一の通信エリアにおける基地局に対する信号系列の送信タイミングと同じであり、かつ当該信号系列を構成する信号と同じ信号を少なくとも１つ含む信号系列を割り当てた他の通信エリアと、一の通信エリアとの離隔距離を確保できる信号系列を割り当てる。これにより、基地局に対する信号系列の送信タイミングが同じである通信エリア同士で信号の重複がないように、あるいは、基地局に対する信号系列の送信タイミングが同じで同じ信号を割り当てられた通信エリアとなるべく離隔距離がとれるように、繰り返し信号系列を割り当てることができる。
【００３６】
また、本発明の信号系列割当装置において、前記信号系列割当手段は、一の通信エリアに離隔距離を確保できる信号系列を割り当てることができない場合、他の通信エリアにおける基地局に対する信号系列の送信タイミングを異なる送信タイミングに変更することが好ましい。
【００３７】
この発明によれば、一の通信エリアに離隔距離を確保できる信号系列を割り当てることができない場合、他の通信エリアにおける基地局に対する信号系列の送信タイミングを異なる送信タイミングに変更する。これにより、基地局に対する信号系列の送信タイミングが同じである通信エリア同士で信号の重複がないように、あるいは、基地局に対する信号系列の送信タイミングが同じで同じ信号を割り当てられた通信エリアとなるべく離隔距離がとれるように、繰り返し信号系列を割り当てることができる。
【発明の効果】
【００３８】
本発明によれば、信号系列を効率的、かつ適切に割り当てることができる。
【図面の簡単な説明】
【００３９】
【図１】本実施形態の信号系列割当装置の構成を示すブロック図である。
【図２】信号系列割当装置１のハードウェア構成図である。
【図３】基地局諸元管理部９が保持するデータの例を示すテーブルである。
【図４】設定パラメータ管理部１０が保持するデータの例を示すテーブルである。
【図５】信号系列管理部１１が保持するデータの例を示すテーブルである。
【図６】信号系列管理部１１が保持するデータの別の例を示すテーブルである。
【図７】基地局からの電波の到来エリアを示す図である。
【図８】基地局装置本体とアンテナと電波増幅装置との構成における電波の到来エリアを示す図である。
【図９】分割信号テーブルの例を示す図である。
【図１０】境界セクタの範囲の例を示す図である。
【図１１】基地局セクタに対する信号系列の割り当てを示す説明図である。
【図１２】信号系列割当装置１の処理を示すフローチャートである。
【図１３】信号系列割当部７の離隔距離確保の処理を示すフローチャートである。
【図１４】基地局セクタに対する重複した信号系列の割り当てを示す説明図（その１）である。
【図１５】基地局セクタに対する重複した信号系列の割り当てを示す説明図（その２）である。
【図１６】基地局セクタに対する重複した信号系列の割り当てを示す説明図（その３）である。
【図１７】基地局セクタに対する離隔距離を確保した信号系列の割り当てを示す説明図である。
【発明を実施するための形態】
【００４０】
添付図面を参照しながら本発明の実施形態を説明する。可能な場合には、同一の部分には同一の符号を付して、重複する説明を省略する。
【００４１】
図１は、本実施形態の信号系列割当装置の構成を示すブロック図である。図１に示される通り、この信号系列割当装置１は、セル半径算出部２（エリア半径算出手段）、セル半径補正部３、所要信号算出部４、信号数算出部５（信号数算出手段）、分割信号テーブル選択部６（分割信号テーブル選択手段）、信号系列割当部７（信号系列割当手段）、設計データベース管理部８、基地局諸元管理部９、設定パラメータ管理部１０、及び信号系列管理部１１を含んで構成されている。
【００４２】
信号系列割当装置１は、ＣＰＵ等のハードウェアから構成されているものである。図２は、信号系列割当装置１のハードウェア構成図である。図１に示される信号系列割当装置１は、物理的には、図２に示すように、ＣＰＵ５１、主記憶装置であるＲＡＭ５２及びＲＯＭ５３、入力デバイスであるキーボード及びマウス等の入力装置５４、ディスプレイ等の出力装置５５、ネットワークカード等のデータ送受信デバイスである通信モジュール５６、ハードディスク等の補助記憶装置５７等を含むコンピュータシステムとして構成されている。図１に示す各機能ブロックの機能は、図２に示すＣＰＵ５１、ＲＡＭ５２等のハードウェア上に所定のコンピュータソフトウェアを読み込ませることにより、ＣＰＵ５１の制御のもとで入力装置５４、出力装置５５、通信モジュール５６を動作させるとともに、ＲＡＭ５２や補助記憶装置５７におけるデータの読み出し及び書き込みを行うことで実現される。以下、図１に示す機能ブロックに基づいて、各機能ブロックを説明する。
【００４３】
設計データベース管理部８は、基地局諸元管理部９、設定パラメータ管理部１０、信号系列管理部１１を備えており、信号系列割当装置１が信号系列を割り当てる際に必要とする基本データを保持している。
【００４４】
基地局諸元管理部９は、セル半径算出部２がセル半径を算出する際に利用する基礎データを保持する。基地局諸元管理部９が保持するデータの一つの具体例を図３に示す。基地局諸元管理部９は、例えば、図３に示す、基地局ＩＤ、基地局名、基地局セクタ番号、緯度／経度、標高、送信周波数、アンテナ種別、アンテナ高、指向方向、電気チルト角、及び機械チルト角等を保持する。
【００４５】
設定パラメータ管理部１０は、セル半径補正部３がセル半径を補正する際、また所要信号算出部４（あるいは分割信号テーブル選択部６）が分割信号テーブルを選択する際に利用するデータを保持する。設定パラメータ管理部１０が保持するデータの一つの具体例を図４に示す。設定パラメータ管理部１０は、例えば、図４に示す、基地局ＩＤ、開閉／装置（開空間は屋外型、閉空間は屋内型を示す）、管轄フラグ、高速動線フラグ、アンテナと基地局間の遅延量である光区間遅延量、及び電波増幅装置内での遅延量である装置内遅延量等を保持する。
【００４６】
信号系列管理部１１は、所要信号算出部４（あるいは分割信号テーブル選択部６）や信号系列割当部７が利用する、割り当て可能な信号を含む信号テーブルや分割信号テーブルに関するデータを保持する。信号系列管理部１１が保持するデータの一つの具体例を図５に示す。信号系列管理部１１は、例えば、図５に示す、信号ＩＤ、管轄フラグ、及び高速動線フラグ等を保持する。信号系列管理部１１が保持するデータの別の具体例を図６に示す。図６と図５との違いは、高速動線フラグ列を複数持つか持たないかの違いである（説明は後述する）。
【００４７】
ここで図５と図９とを用いて分割信号テーブルについて説明する。図５の管轄フラグＡ列のデータは、ある管轄Ａに選択する分割信号テーブルの情報を示している。つまり、信号ＩＤが１〜２８の信号から構成される分割信号テーブルが管轄Ａに選択されることになる。なお、信号ＩＤ２６、２７、２８からなる追加割当用予備Ｍは、信号の追加割り当て時の予備として保持しておくものであり、通常の信号割り当て時には追加割当用予備Ｍに含まれる信号は割り当てない。このように、分割信号テーブルに含まれる一部信号を、追加割当用予備として保持しておくことも可能である。図９のＴａｂｌｅ１は、図５の管轄フラグＡ列のデータが示す分割信号テーブルを異なる形式で示した図である。同様に、図９のＴａｂｌｅ２は、図５の管轄フラグＢ列のデータが示す分割信号テーブルを異なる形式で示した図である。
【００４８】
セル半径算出部２は、基地局セクタ内のエリアのうち、信号系列を割り当てるエリアのセル半径を、基地局諸元管理部９のデータに基づいて算出し、所要信号算出部４に出力する。具体的には、セル半径算出部２は、セル半径を算出する際に、セル半径を、基地局からの電波の到来方向、基地局からの電波を送信するアンテナの高さ、アンテナの標高データに基づいて算出する。それにより、実際の電波の到来エリアに近いエリアをセル半径として扱うことができる。
【００４９】
図７は、基地局からの電波の到来エリアを示す図である。セル半径Ｒは、従来の考え方に基づくセル半径であって、基地局装置の処理能力の限界までを到来エリアとした際のセル半径である。一方、セル半径ｒ１は、セル半径算出部２によって算出されたセル半径であって、電波の到来方向Ｘ１、アンテナの高さｈ１、電波が送信されるアンテナと電波を受信する位置との標高差から、到来エリアを求めた際のセル半径である。なお、差分距離ｅ１は、セル半径Ｒとセル半径ｒ１との差分の距離を示しており、不要なセル半径として扱える。このように、セル半径ｒ１を基に信号系列を割り当てることで、従来の考え方に基づくセル半径Ｒを基に信号系列を割り当てるより、差分距離ｅ１の分、信号を過剰に割り当てなくてよい。
【００５０】
セル半径補正部３は、より正確な電波の到来エリアに基づくセル半径を求めるために、設定パラメータ管理部１０が保持するデータのエリア要因（例えば、基地局装置本体とアンテナとの伝搬遅延、電波増幅装置の装置内遅延量、および電波増幅装置による電波の増幅度合いなど）に基づいて、セル半径算出部２が算出したセル半径の補正を行う。
【００５１】
図８は、基地局装置本体とアンテナとの距離が離れており、さらに、基地局からの電波を中継して増幅させる電波増幅装置がある場合の構成を示す図である。図８においては、基地局装置本体とアンテナとが、例えば光ファイバで接続され（無線区間の光化）、それらが距離ｏ２離れている場合、電波の到来エリアがその距離ｏ２に基づいて変化する。そこで、セル半径補正部３は、基地局装置を送信規定点とし、電波を送信するアンテナと接続されている当該基地局間との伝搬遅延（設定パラメータ管理部１０が保持する光区間遅延量）に基づいてエリア半径を補正する。ここで、伝搬遅延は、基地局装置とアンテナとの距離が長くなるほど大きくなる。
【００５２】
また、電波増幅装置により電波が増幅された場合、設定パラメータ管理部１０が保持する装置内遅延量に基づいてエリア半径を補正する。さらに、電波の到来エリアはその増幅度合いに基づいて変化する。例えば、図８に示す構成の場合、到来エリアがさらに距離ａ２増加する。そこで、セル半径補正部３は、さらに、電波増幅装置による電波の増幅度合いに基づいてエリア半径を補正してもよい。
【００５３】
所要信号算出部４は、信号数算出部５と分割信号テーブル選択部６とから構成される。所要信号算出部４は、セル半径算出部２からセル半径を入力する。
【００５４】
信号数算出部５は、セル半径算出部２から入力されたセル半径と、設定パラメータ管理部１０及び信号系列管理部１１が保持するデータとに基づいて、基地局セクタに割り当てる信号系列に含まれる信号数を算出する。移動体通信においては、一般的に、セル半径が大きいほど、より多くの信号数を必要とする。よって、信号数算出部５は、具体的には、セル半径の大きさに比例した信号数を算出する。また、信号数算出部５は、例えば、予めセル半径と信号数との対応関係を保持しており、その対応関係に基づいて、セル半径から信号数を算出してもよい。信号数算出部５（あるいは所要信号算出部４）は、算出した信号数を信号系列割当部７に出力する。
【００５５】
分割信号テーブル選択部６は、割り当て可能な信号を含む信号テーブルが予め２つ以上の分割信号テーブルに分割されている場合、設定パラメータ管理部１０と信号系列管理部１１とが保持するデータに基づいて、各基地局セクタに対して、１つの分割信号テーブルを選択する。例えば、図４において基地局ＩＤが１１１１１１の基地局セクタに対して分割信号テーブルを選択する際に、分割信号テーブル選択部６は、図４のテーブルから基地局ＩＤが１１１１１１の管轄フラグはＡであると判定し、続いて図５のテーブルから管轄フラグＡの分割信号テーブルを取得し、当該基地局セクタに当該分割信号テーブルを選択する。ここで、図４のテーブルにおいて、管轄フラグと高速動線フラグとが両方指定されていた場合、分割信号テーブル選択部６は、高速動線フラグが示す分割信号テーブルを選択する。なお、この場合、分割信号テーブル選択部６は、管轄フラグが示す分割信号テーブルを選択してもよい。
【００５６】
ここで、ある管理主体（例えば管理主体Ａ）が管理する基地局の基地局セクタのうち、他の管理主体（例えば管理主体Ｂ）が管理する基地局セクタと隣接する基地局セクタを境界セクタと呼ぶことにする。
【００５７】
図１０は、管理主体Ａと管理主体Ｂとが管理する、境界セクタを含む基地局セクタの範囲を示した図である。管轄Ａは管理主体Ａが管理する基地局セクタの範囲を示し、管轄Ｂは管理主体Ｂが管理する基地局セクタの範囲を示している。そして、境界セクタＡ１は管理主体Ａが管理する境界セクタの範囲を示し、境界セクタＢ１は管理主体Ｂが管理する境界セクタの範囲を示している。
【００５８】
図１０の場合において、信号系列割当装置１が管轄Ａの信号系列を割り当てる際、分割信号テーブル選択部６は、境界セクタＡ１に対して、境界セクタＢ１の分割信号テーブルとは異なる分割信号テーブルを選択してもよい。同様に、信号系列割当装置１が管轄Ｂの信号系列を割り当てる際、分割信号テーブル選択部６は、境界セクタＢ１に対して、境界セクタＡ１の分割信号テーブルとは異なる分割信号テーブルを選択してもよい。例えば、分割信号テーブル選択部６は、境界セクタＡ１に対して図９におけるＴａｂｌｅ１が示す分割信号テーブルを選択し、境界セクタＢ１に対して図９におけるＴａｂｌｅ２が示す分割信号テーブルを選択する。
【００５９】
また、分割信号テーブル選択部６は、予め定められた基地局セクタに対して、周辺の基地局セクタとは異なる分割信号テーブルを選択してもよい。例えば、高速鉄道の線路付近を含む基地局セクタに対しては、ドップラシフトの影響から信号系列が周辺の基地局セクタの信号系列に干渉し、接続品質に影響を与えないように、分割信号テーブル選択部６は、周辺の基地局セクタとは異なる分割信号テーブルを選択する。具体的には、分割信号テーブル選択部６は、高速鉄道の線路付近を含む基地局セクタに対しては、図５において高速動線フラグがＯＮである信号から構成される分割信号テーブルを選択する。なお、図５では高速動線フラグ列は１つしかないが、図６のように、複数種類の高速動線フラグ列を持ち、高速鉄道の線路付近を含む各基地局セクタに対して、異なる高速動線フラグ列を選択してもよい。
【００６０】
分割信号テーブル選択部６（あるいは所要信号算出部４）は、基地局セクタと分割信号テーブルとの選択関係を、信号系列割当部７に出力する。
【００６１】
信号系列割当部７は、所要信号算出部４（あるいは信号数算出部５）から入力した信号数と信号系列管理部１１が保持するデータに基づいて、基地局セクタに信号系列を割り当てる。具体的には、信号系列割当部７は、信号系列管理部１１が保持する、割り当て可能な信号を含む信号テーブル（あるいは分割信号テーブル）から、所要信号算出部４（あるいは信号数算出部５）から入力した信号数分の信号を選択し、選択した信号から構成される信号系列を基地局セクタに割り当てる。信号を選択する際は、連続した信号、または離散した信号等、任意の信号を選択してよい。なお、信号系列割当部７は、信号系列の割り当て結果を出力装置５５、補助記憶装置５７、及び外部装置（例えばＬＴＥ  ＮＷ  Ｓｙｓｔｅｍ）等に出力してもよい。
【００６２】
信号系列割当部７は、所定の基点との距離が短い基地局セクタから順に信号系列を割り当ててもよい。
【００６３】
また、信号系列割当部７は、所要信号算出部４（あるいは分割信号テーブル選択部６）から、基地局セクタと分割信号テーブルとの選択関係をさらに入力してもよい。その場合、信号系列割当部７は、基地局セクタに信号系列を割り当てる際、当該基地局セクタに対して選択された分割信号テーブルと、信号系列割当部７が入力した信号数とに基づいて、当該基地局セクタに信号系列を割り当てる。
【００６４】
また、信号系列割当部７は、信号系列を基地局セクタに割り当てる際、当該基地局セクタと、当該信号系列を構成する信号と同じ信号を少なくとも１つ含む信号系列を割り当てた別の基地局セクタとの離隔距離を確保できる信号系列を割り当て、割り当て可能な信号すべてについて所定の離隔距離を確保できない場合は、最も長い離隔距離を確保できる信号から構成される信号系列を割り当ててもよい。
【００６５】
図１１を参照しながら、上記に示した信号系列割当部７の信号系列の割り当てについて具体的に説明する。図１１は基地局セクタに対する信号系列の割り当てを示す説明図である。図１１に示す通り、基準点となる予め定められた基点、基地局セクタα１〜α６、β１が含まれている。ここで、信号数算出部５（あるいは所要信号算出部４）により、基地局セクタα１の信号数は４、基地局セクタα２の信号数は５、基地局セクタα３の信号数は３、基地局セクタα４の信号数は４、基地局セクタα５の信号数は９、基地局セクタα６の信号数は３、基地局セクタβの信号数は３、が算出されているとする。また、分割信号テーブル選択部６（あるいは所要信号算出部４）により、基地局セクタα１〜α６に対しては分割信号テーブルＴａｂｌｅ１が選択され、基地局セクタβ１に対しては分割信号テーブルＴａｂｌｅ２が選択されているとする。
【００６６】
まず、信号系列割当部７は、分割信号テーブルＴａｂｌｅ１が選択された基地局セクタに対し、基点との距離が短い基地局セクタから順に信号系列を割り当てていく。つまり、基点から一番距離が短い基地局セクタα１に対して、信号系列割当部７は、基地局セクタα１の信号数が４なので分割信号テーブルＴａｂｌｅ１の信号ＩＤが１〜４の４個分の信号から構成される信号系列を割り当てる。それと同時に、信号系列割当部７は、基地局セクタα１に信号ＩＤが１〜４の信号系列を割り当てたという割り当て情報を、信号系列管理部１１に保持する。以下の説明では、基地局セクタに信号系列を割り当てる際、その割り当て情報を信号系列管理部１１に保持するものとする。次に基点から距離が短い基地局セクタα２に対して、信号系列割当部７は、基地局セクタα２の信号数が５なので分割信号テーブルＴａｂｌｅ１から、既に割り当てられた信号を除いた、信号ＩＤが５から５個分である５〜９の信号から構成される信号系列を割り当てる。基地局セクタα３〜α５も同様の手順で、信号系列割当部７は図１１に示したような信号系列を割り当てる。
【００６７】
ここで、信号系列割当部７が、基地局セクタα６の信号系列を割り当てる場合について説明する。信号系列割当部７は、ここまで基地局セクタα１〜α５に対して、分割信号テーブルＴａｂｌｅ１において割り当て可能な信号をすべて割り当てている。そこで信号系列割当部７は、基地局セクタα６に対して、分割信号テーブルＴａｂｌｅ１の最初に戻り、信号ＩＤが１〜４の信号から構成される信号系列を割り当てようとする。その際、信号系列割当部７は、基地局セクタα６と、すでに同じ信号が割り当てられた基地局セクタα１との離隔距離（例えば、図１１における基地局セクタα１とα６のそれぞれの扇形内の点の内、それぞれの点を結ぶ直線の距離が最も短くなるような直線の距離）を求める。なお扇形はサービスエリアを表す。ここで、信号系列割当部７は所定の離隔距離を確保できなかったと仮定する。次に、信号系列割当部７は信号ＩＤ５〜９の信号から構成される信号系列が割り当てられた基地局セクタα２に対して同様に離隔距離を求め、この場合は、信号系列割当部７は所定の離隔距離を確保できたとする。そこで信号系列割当部７は、基地局セクタα２で割り当てられている信号系列を構成する信号ＩＤが５〜９のうち、５〜７の３個分（基地局セクタα６の信号数）の信号から構成される信号系列を基地局セクタα６に対して割り当てる。
【００６８】
なお、上記において、信号系列割当部７が、基地局α１〜α５のすべてに対して離隔距離が確保できない場合、信号系列割当部７は、最も長い離隔距離を確保できる基地局α２の信号から構成される信号系列を基地局α６に対して割り当てる。
【００６９】
次に、信号系列割当部７は、分割信号テーブルＴａｂｌｅ２が選択された基地局セクタに対し、基点との距離が短い基地局セクタから順に信号系列を割り当てていく。つまり、基点から一番距離が短い基地局セクタβ１に対して、基地局セクタβ１の信号数が３なので分割信号テーブルＴａｂｌｅ２の信号ＩＤが２９〜３１の３個分の信号から構成される信号系列を割り当てる。以上のようにして、信号系列割当部７は、入力した信号数や基地局セクタと分割信号テーブルとの選択関係に基づいて、基地局セクタに信号系列を割り当てる。
【００７０】
また、信号系列割当部７は、基地局の複数の基地局セクタのうち、基地局に対する信号系列の送信タイミングが互いに異なる基地局セクタに、重複する信号を含む信号系列を割り当てる。信号系列割当部７は、基地局の複数の基地局セクタのうち、基地局に対する信号系列の送信タイミングが互いに異なり、かつ信号数算出部５（あるいは所要信号算出部４）により算出された信号数が互いに同じである基地局セクタに、同じ信号を含む信号系列を割り当ててもよい。さらに、信号系列割当部７は、当該基地局のうち、信号数算出部５（あるいは所要信号算出部４）により算出された信号数が大きい基地局セクタ順に信号系列を割り当ててもよい。また、信号系列割当部７は、基地局の複数の基地局セクタのうち、基地局に対する信号系列の送信タイミングが互いに異なる場合、当該基地局セクタに可能な限り同一の信号を含む信号系列を割り当ててもよい。
【００７１】
以下、送信タイミングについて説明する。Ｗ−ＣＤＭＡ（Wideband Code Division Multiple Access）方式とは異なるＯＦＤＭＡ（Orthogonal Frequency Division Multiple Access）方式を用いた移動体通信システムにおいては、３つのグループＩＤ（基地局セクタのグループに対して割り当てる識別情報）を考慮した上で、基地局セクタにＩＤを割り当てる必要がある。３つのグループＩＤとはＬｏｃａｌ  ＩＤとＣｅｌｌ  Ｇｒｏｕｐ  ＩＤとＨｏｐｐｉｎｇ  ｐａｔｔｅｒｎとを示す。ここで、基地局セクタにおける信号系列の送信タイミングは、基地局セクタに割り当てられたＬｏｃａｌ  ＩＤに基づいて定まる。例えば、３つの基地局セクタにそれぞれＬｏｃａｌ  ＩＤとして０、１及び２が割り当てられている場合、Ｌｏｃａｌ  ＩＤが０の基地局セクタにおける信号系列の送信タイミングと、Ｌｏｃａｌ  ＩＤが１の基地局セクタにおける信号系列の送信タイミングと、Ｌｏｃａｌ  ＩＤが２の基地局セクタにおける信号系列の送信タイミングとは全て異なる。つまり、基地局セクタに割り当てられたＬｏｃａｌ  ＩＤが異なれば、基地局セクタにおける信号系列の送信タイミングも異なる。従って、同一基地局内の基地局セクタ間は同期がとられているため、Ｌｏｃａｌ  ＩＤが異なれば信号系列の送信タイミングが異なる（衝突しない）ため、同一の信号を含む信号系列を割り当てることが可能である。また、異なる基地局間においても同期がとられている場合は、異なる基地局間の基地局セクタ間でＬｏｃａｌ  ＩＤが異なれば信号系列の送信タイミングが異なる（衝突しない）ため、同一の信号を含む信号系列を割り当てることが可能である。なお、一般的に、Ｌｏｃａｌ  ＩＤは上記のように３つのＩＤである０〜２で構成される。
【００７２】
図１４及び図１５を参照しながら、上記に示した信号系列割当部７の信号系列の割り当てについて具体的に説明する。図１４は信号系列割当部７による基地局セクタに対する重複した信号系列の割り当てを示す説明図である。図１４（ａ）は、重複しない信号系列の割り当てを示す図であり、図１４（ｂ）は、重複する信号系列の割り当てを示す図である。図１４（ａ）及び（ｂ）に示す通り、基地局セクタγ１〜γ３が含まれている。ここで、基地局セクタγ１〜γ３のＬｏｃａｌ  ＩＤとして、それぞれ０〜２が割り当てられ、信号数算出部５（あるいは所要信号算出部４）により、基地局セクタγ１〜γ３の信号数として、それぞれ５が割り当てられているとする。なお、特に断りが無い限り、図１４及び以降で説明する図１５〜図１７に含まれる全ての基地局セクタに対して、分割信号テーブル選択部６により、信号ＩＤが１〜５０の信号から構成される分割信号テーブルが選択されているとする。
【００７３】
図１４（ａ）において、信号系列割当部７は、各基地局セクタに対して重複しない信号系列を割り当てる。具体的には、信号系列割当部７は、まず基地局セクタγ１に対して、信号数が５であることから、信号ＩＤが１〜５の信号から構成される信号系列を割り当てる。次に、信号系列割当部７は、基地局セクタγ２に対して、基地局セクタγ１の信号系列と重複しない５個の信号である信号ＩＤが６〜１０の信号から構成される信号系列を割り当てる。同様に、信号系列割当部７は、基地局セクタγ３に対して、基地局セクタγ１及びγ２の信号系列と重複しない５個の信号である信号ＩＤが１１〜１５の信号から構成される信号系列を割り当てる。
【００７４】
一方、図１４（ｂ）において、信号系列割当部７は、基地局の複数の基地局セクタのうち、基地局に対する信号系列の送信タイミングが互いに異なり、かつ信号数が互いに同じである基地局セクタに、同じ信号を含む信号系列を割り当てる。具体的には、信号系列割当部７は、割り当てられたＬｏｃａｌ  ＩＤが互いに異なり、信号数が５で同じである基地局セクタγ１〜γ３に対して、それぞれ信号ＩＤが１〜５の信号から構成される信号系列を割り当てる。
【００７５】
図１５は、各基地局セクタの信号数が異なる場合の、信号系列割当部７による基地局セクタに対する重複した信号系列の割り当てを示す説明図である。図１５（ａ）は、重複しない信号系列の割り当てを示す図であり、図１５（ｂ）は、重複する信号系列の割り当てを示す図である。図１５（ａ）及び（ｂ）に示す通り、基地局セクタγ４〜γ６が含まれている。ここで、基地局セクタγ４〜γ６のＬｏｃａｌ  ＩＤとして、それぞれ０〜２が割り当てられ、信号数算出部５（あるいは所要信号算出部４）により、基地局セクタγ４〜γ６の信号数として、それぞれ３〜５が割り当てられているとする。
【００７６】
図１５（ａ）において、信号系列割当部７は、各基地局セクタに対して重複しない信号系列を割り当てる。具体的には、信号系列割当部７は、まず基地局セクタγ４に対して、信号数が３であることから、信号ＩＤが１〜３の信号から構成される信号系列を割り当てる。次に、信号系列割当部７は、基地局セクタγ５に対して、基地局セクタγ４の信号系列と重複しない４個の信号である信号ＩＤが４〜７の信号から構成される信号系列を割り当てる。次に、信号系列割当部７は、基地局セクタγ６に対して、基地局セクタγ４及びγ５の信号系列と重複しない５個の信号である信号ＩＤが８〜１２の信号から構成される信号系列を割り当てる。
【００７７】
一方、図１５（ｂ）において、信号系列割当部７は、基地局の複数の基地局セクタのうち、割り当てられたＬｏｃａｌ  ＩＤが互いに異なる基地局セクタについて、所要信号算出部４により算出された信号数が大きい基地局セクタ順に、重複する信号を含む信号系列を割り当てる。具体的には、信号系列割当部７は、まず基地局セクタγ４〜６のうち信号数が最も大きい基地局セクタγ６に対して、信号数が５であることから、信号ＩＤが１〜５の信号から構成される信号系列を割り当てる。次に、信号系列割当部７は、基地局セクタγ６の次に信号数が大きい基地局セクタγ５に対して信号系列を割り当てる。ここで、基地局セクタγ５と先ほど信号系列を割り当てた基地局セクタγ６とはＬｏｃａｌ  ＩＤが異なる、つまり基地局に対する信号系列の送信タイミングが異なることから、信号系列割当部７は、基地局セクタγ５に対して、基地局セクタγ６で割り当てた信号系列が含む信号を重複して含む信号系列を割り当てることができる。具体的に、信号系列割当部７は、基地局セクタγ５に対して、信号数が４であることから、信号ＩＤが１〜４の信号から構成される信号系列を割り当てる。同様に、信号系列割当部７は、次に信号数が大きい基地局セクタγ４に対して、信号数が３であることから、信号ＩＤが１〜３の信号から構成される信号系列を割り当てる。
【００７８】
ここで、信号系列割当部７は、基地局セクタγ５に対して、信号ＩＤが１〜４の信号から構成される信号系列を割り当てたが、信号ＩＤが２〜５の信号から構成される信号系列を割り当ててもよい。また、信号系列割当部７は、続き番号ではなく、信号ＩＤが１及び３〜５の信号から構成される信号系列を割り当ててもよい。以降の図１６及び図１７の説明においても、任意の一つの信号ＩＤの割り当てパターンを示しているが、上記と同様に、これに限るものではない。
【００７９】
図１６は、図１５と同様に、各基地局セクタの信号数が異なる場合の、信号系列割当部７による基地局セクタに対する重複した信号系列の割り当てを示す説明図である。図１６は、図１５と異なり、基地局の複数の基地局セクタに重複したＬｏｃａｌＩＤが割り当てられている。図１６（ａ）は、重複しない信号系列の割り当てを示す図であり、図１６（ｂ）は、重複する信号系列の割り当てを示す図である。図１６（ａ）及び（ｂ）に示す通り、基地局セクタγ７〜γ１２が含まれている。ここで、基地局セクタγ７〜γ１２のＬｏｃａｌ  ＩＤとして、それぞれ０、１、２、０、１及び２が割り当てられ、信号数算出部５（あるいは所要信号算出部４）により、基地局セクタγ７〜γ１２の信号数として、それぞれ３、４、５、６、７及び８が割り当てられているとする。
【００８０】
図１６（ａ）において、信号系列割当部７は、各基地局セクタに対して重複しない信号系列を割り当てる。具体的には、信号系列割当部７は、まず基地局セクタγ７に対して、信号数が３であることから、信号ＩＤが１〜３の信号から構成される信号系列を割り当てる。次に、信号系列割当部７は、基地局セクタγ８に対して、基地局セクタγ７の信号系列と重複しない４個の信号である信号ＩＤが４〜７の信号から構成される信号系列を割り当てる。同様にして、信号系列割当部７は、基地局セクタγ９に対して、信号ＩＤが８〜１２の信号から構成される信号系列を割り当て、基地局セクタγ１０に対して、信号ＩＤが１３〜１８の信号から構成される信号系列を割り当て、基地局セクタγ１１に対して、信号ＩＤが１９〜２５の信号から構成される信号系列を割り当て、基地局セクタγ１２に対して、信号ＩＤが２６〜３３の信号から構成される信号系列を割り当てる。
【００８１】
一方、図１６（ｂ）において、信号系列割当部７は、基地局の複数の基地局セクタのうち、割り当てられたＬｏｃａｌ  ＩＤが互いに異なる基地局セクタについて、所要信号算出部４により算出された信号数が大きい基地局セクタ順に、重複する信号を含む信号系列を割り当てる。具体的には、信号系列割当部７は、まず基地局セクタγ７〜１２のうち信号数が最も大きい基地局セクタγ１２に対して、信号数が８であることから、信号ＩＤが１〜８の信号から構成される信号系列を割り当てる。次に、信号系列割当部７は、基地局セクタγ１２と異なるＬｏｃａｌ  ＩＤが割り当てられた基地局セクタのうち、信号数が基地局セクタγ１２の次に最も大きい基地局セクタである基地局セクタγ１１に対して、信号数が７であることから、信号ＩＤが１〜７の信号から構成される信号系列を割り当てる。同様に、信号系列割当部７は、基地局セクタγ１２と異なるＬｏｃａｌ  ＩＤが割り当てられた基地局セクタのうち、信号数が基地局セクタγ１１の次に最も大きい基地局セクタである基地局セクタγ１０に対して、信号数が６であることから、信号ＩＤが１〜６の信号から構成される信号系列を割り当てる。
【００８２】
次に、信号系列割当部７は、基地局セクタγ１２と異なるＬｏｃａｌ  ＩＤが割り当てられた基地局セクタに対してそれぞれ１回信号系列を割り当てたので、最後に信号系列を割り当てた基地局セクタγ１０の次に信号数が最も大きい基地局セクタである基地局セクタγ９に対して、信号系列を割り当てる。この際、信号系列割当部７は、同じ基地局の基地局セクタのうち、同じＬｏｃａｌ  ＩＤが割り当てられた基地局セクタγ１２に割り当てられた信号系列に含まれる信号と異なる信号を含む信号系列を基地局セクタγ９に対して割り当てる。よって、信号系列割当部７は、基地局セクタγ１２の信号系列が信号ＩＤ１〜８で構成されていること、基地局セクタγ９の信号数が５であることから、基地局セクタγ９に対して、信号ＩＤが９〜１３の信号から構成される信号系列を割り当てる。次に、信号系列割当部７は、基地局セクタγ９と異なるＬｏｃａｌ  ＩＤが割り当てられた基地局セクタのうち、信号数が基地局セクタγ９の次に最も大きい基地局セクタである基地局セクタγ８に対して、信号数が４であること、及び同じＬｏｃａｌ  ＩＤが割り当てられた基地局セクタγ１１の信号系列が信号ＩＤ１〜７で構成されていることから、信号ＩＤが９〜１２の信号から構成される信号系列を割り当てる。同様に、信号系列割当部７は、基地局セクタγ９と異なるＬｏｃａｌ  ＩＤが割り当てられた基地局セクタのうち、信号数が基地局セクタγ８の次に最も大きい基地局セクタである基地局セクタγ７に対して、信号数が３であること、及び同じＬｏｃａｌ  ＩＤが割り当てられた基地局セクタγ１０の信号系列が信号ＩＤ１〜６で構成されていることから、信号ＩＤが９〜１１の信号から構成される信号系列を割り当てる。
【００８３】
以上の図１４及び図１５を参照しながら説明した信号系列割当部７の信号系列の割り当てについて、信号系列割当部７は、信号数が大きい基地局セクタ順に信号系列を割り当てたが、これに限るものではない。例えば、信号数が小さい基地局セクタ順に信号系列を割り当てたり、信号数に関係なくランダムに基地局セクタに信号系列を割り当てたりしてもよい。
【００８４】
信号系列割当部７は、一の基地局セクタに信号系列を割り当てる際、当該一の基地局セクタにおける基地局に対する信号系列の送信タイミングと同じであり、かつ当該信号系列を構成する信号と同じ信号を少なくとも１つ含む信号系列を割り当てた他の基地局セクタと、一の基地局セクタとの離隔距離を確保できる信号系列を割り当ててもよい。また、その際、信号系列割当部７は、一の基地局セクタに離隔距離を確保できる信号系列を割り当てることができない場合、他の基地局セクタにおける基地局に対する信号系列の送信タイミングを異なる送信タイミングに変更してもよい。
【００８５】
図１７を参照しながら、上記に示した信号系列割当部７の信号系列の割り当てについて具体的に説明する。図１７（ａ）は、基地局間（基地局Ｐと基地局Ｑ）が同期している場合に、信号系列割当部７により、基地局Ｐの基地局セクタγ１３〜γ１７に対する信号系列の割り当てが完了し、信号系列割当部７により、基地局Ｑの基地局セクタγ１８〜γ２０のうち、基地局セクタγ１８に信号系列を割り当てる際の図を示している。ここで、基地局セクタγ１３〜γ１７のＬｏｃａｌ  ＩＤとして、それぞれ２、１、０、１及び０が割り当てられ、基地局セクタγ１８〜γ２０のＬｏｃａｌ  ＩＤとして、それぞれ０、１及び２が割り当てられ、信号数算出部５（あるいは所要信号算出部４）により、基地局セクタγ１３〜γ１８の信号数として、それぞれ３、５、６、７、８及び７が割り当てられているとする。なお、基地局セクタγ１８に対して、分割信号テーブル選択部６により、信号ＩＤが１〜２０の信号から構成される分割信号テーブルが選択されているとする。
【００８６】
信号系列割当部７は、基地局セクタγ１８と同じＬｏｃａｌ  ＩＤである０が割り当てられた基地局セクタγ１７との離隔距離Ｄ４（例えば、図１７（ａ）における基地局セクタγ１８とγ１７のそれぞれの扇形内の点の内、それぞれの点を結ぶ直線の距離が最も短くなるような直線の距離）を求める。なお扇形はサービスエリアを表す。ここで、信号系列割当部７は、離隔距離Ｄ４が所定の値（例えば５ｋｍ）以上確保できなかったと仮定する。同様に、信号系列割当部７は、基地局セクタγ１８と同じＬｏｃａｌ  ＩＤである０が割り当てられた基地局セクタγ１５との離隔距離Ｄ５を求め、離隔距離Ｄ５が所定の値（例えば５ｋｍ）以上確保できなかったと仮定する。この場合、信号系列割当部７は、基地局セクタγ１８に対して、基地局セクタγ１７及び基地局セクタγ１５に割り当てられている信号系列に含まれる信号とは異なる信号を含む信号系列を割り当てる必要がある。つまり、信号系列割当部７は、基地局セクタγ１８に対して、信号ＩＤが１５以降の７個の信号ＩＤを含む信号系列を割り当てる必要がある。しかしながら基地局セクタγ１８に対して選択されている分割信号テーブルに含まれる信号ＩＤは１〜２０であり、信号系列割当部７は１５〜２０の６個の信号ＩＤしか割り当てることができない。
【００８７】
そこで、信号系列割当部７は、基地局セクタγ１８との離隔距離を確保できなかった基地局セクタのうち任意の一つの基地局セクタのＬｏｃａｌ  ＩＤを、当該基地局セクタと同じ基地局内の隣接する基地局セクタのＬｏｃａｌ  ＩＤとなるべく重複しないＬｏｃａｌ  ＩＤに変更する。そして、信号系列割当部７は、Ｌｏｃａｌ  ＩＤを変更した基地局セクタを含む基地局内の全ての基地局セクタについて、再度信号系列を割り当て直す。なお、信号系列割当部７は、全ての基地局セクタについて再度信号系列を割り当て直すのではなく、Ｌｏｃａｌ  ＩＤを変更した基地局セクタに対する影響がある基地局セクタのみについて再度信号系列を割り当て直してもよい。
【００８８】
具体的には、図１７（ｂ）に示す通り、信号系列割当部７は、基地局セクタγ１８との離隔距離を確保できなかった基地局セクタγ１５のＬｏｃａｌ  ＩＤを、隣接する基地局セクタγ１４及びγ１６のＬｏｃａｌ  ＩＤである１と重複しない２に変更する。そして、信号系列割当部７は基地局セクタγ１５と、基地局セクタγ１５と同じＬｏｃａｌ  ＩＤが割り当てられた基地局セクタγ１３とについて、信号系列を割り当て直し、基地局セクタγ１５に対して信号ＩＤが１〜６の信号から構成される信号系列を割り当て、基地局セクタγ１３に対して信号ＩＤが９〜１１の信号から構成される信号系列を割り当てる。
【００８９】
以上の基地局ＰにおけるＬｏｃａｌ  ＩＤの変更及び信号系列の再割り当てにより、信号系列割当部７は、基地局セクタγ１８に対して、離隔距離Ｄ４のみに基づき、信号ＩＤ９〜２０の信号のうち７個の信号を割り当てることができる。そこで、信号系列割当部７は、基地局セクタγ１８に対して、信号ＩＤが９〜１５の信号から構成される信号系列を割り当てる。なお、以上の説明では、新しく基地局セクタに信号系列を割り当てる際に、離隔距離に関する調整を行ったが、例えば、離隔距離に関する調整を行わずに一通り全ての基地局セクタに信号系列を割り当てた後に、各基地局セクタに対して離隔距離に関する調整を行ってもよい。
【００９０】
上記のような信号系列の再割り当てにおいて、一部の基地局セクタにおいてＬｏｃａｌ  ＩＤが変更される。ここで、一般的に、同じＬｏｃａｌ  ＩＤが割り当てられた基地局セクタ同士の離隔距離（以降、Ｌｏｃａｌ  ＩＤ離隔距離）の確保も必要となる。つまり、基地局に対する信号系列の送信タイミングが同じであり、かつ当該信号系列を構成する信号と同じ信号を少なくとも１つ含む信号系列を割り当てた基地局セクタ同士の離隔距離（以降、信号系列離隔距離）の確保を考慮する必要があると同時に、Ｌｏｃａｌ  ＩＤ離隔距離の確保も考慮する必要がある。
【００９１】
ここで、Ｌｏｃａｌ  ＩＤ離隔距離を確保できない場合は、下りの通信品質が下がる程度にとどまる。一方、信号系列離隔距離を確保できない場合、セル半径が縮んでしまうことになり、十分な基地局エリアを確保できなくなる。そのため、運用上では、例えば、Ｌｏｃａｌ  ＩＤ離隔距離の確保よりも、信号系列離隔距離の確保を優先する。なお、一般的に、確保する必要があるＬｏｃａｌ  ＩＤ離隔距離は、例えば１ｋｍであり、確保する必要がある信号系列離隔距離は、例えば５ｋｍである。
【００９２】
続いて、このように構成された信号系列割当装置１の処理について説明する。図１２は信号系列割当装置１の処理を示すフローチャートである。
【００９３】
まず、信号系列割当装置１により、信号系列を割り当てる対象の基地局セクタ（対象基地局セクタ）が選択される（Ｓ１）。次に、信号系列割当装置１において、セル半径算出部２により、対象基地局セクタのセル半径が算出される（Ｓ２、エリア半径算出ステップ）。次に、セル半径算出部２に含まれるセル半径補正部３により、セル半径が補正される（Ｓ３）。次に、所要信号算出部４に含まれる分割信号テーブル選択部６により、対象基地局セクタに対して分割信号テーブルが選択される（Ｓ４）。
【００９４】
次に、所要信号算出部４に含まれる信号数算出部５により、補正されたセル半径に基づいて対象基地局セクタの信号数が算出される（Ｓ５、信号数算出ステップ）。次に、信号系列割当部７により、対象基地局セクタに対して選択された分割信号テーブルと信号数とに基づいて、対象基地局セクタに信号系列が割り当てられる（Ｓ６、信号系列割当ステップ）。以上のＳ１〜Ｓ６の手順を、信号系列を割り当てる対象の全ての基地局セクタに対して繰り返し適用する。
【００９５】
ここで、Ｓ６における処理の詳細の一例を、図１３を用いて説明する。図１３は信号系列割当装置１に含まれる信号系列割当部７の離隔距離確保に関する処理を示すフローチャートである。以降の説明では、上述のＳ５の次に移る先は、上述のＳ６の代わりに後述のＳ３１とする。
【００９６】
まず、信号系列割当装置１において、信号系列割当部７により、Ｓ４で対象基地局セクタに対して選択された分割信号テーブルを構成する信号が、Ｓ５で算出された信号数分選択される（Ｓ３１）。次に、信号系列割当部７により、同一の信号が他の基地局セクタに割り当てられていないかの重複が判断される（Ｓ３２）。
【００９７】
Ｓ３２において、信号が他の基地局セクタに一度も割り当てられていない場合は、信号系列割当部７により、選択された信号から構成される信号系列が対象基地局基地局セクタに割り当てられる（Ｓ３７）。Ｓ３２において、当該信号が他の基地局セクタ（割当済基地局セクタ）に割り当てられていた場合は、信号系列割当部７により、対象基地局セクタと割当済基地局セクタとの離隔距離を計算する（Ｓ３３）。Ｓ３３において、離隔距離が確保できる場合は、Ｓ３７に移る。Ｓ３３において、離隔距離が確保できない場合は、信号系列割当部７により、離隔距離が確保できなかった信号を信号系列管理部１１に記憶する（Ｓ３４）。
【００９８】
次に、信号系列割当部７により、分割信号テーブルを構成する信号すべてについて離隔距離が確保できないかどうかを判断される（Ｓ３５）。一部の信号について離隔距離が確保できる場合は、Ｓ３１に移り、当該一部の信号について同様の手順を進める。Ｓ３５において、分割信号テーブルを構成する信号すべてについて離隔距離が確保できない場合は、信号系列割当部７により、それら信号の中で最も離隔距離が確保できる信号が選択され（Ｓ３６）、Ｓ３７に移る。
【００９９】
次に、このように処理された信号系列割当装置１の作用効果について説明する。
【０１００】
セル半径算出部２と信号数算出部５（または所要信号算出部４）と信号系列割当部７とにより、基地局セクタ内のエリアのうち、信号系列を割り当てるエリアのエリア半径を算出し、算出されたエリア半径に基づいて、基地局セクタに割り当てる信号系列を構成する信号数を算出し、算出された信号数に基づいて、基地局セクタに信号系列を割り当てる。これにより、信号系列を割り当てるエリアに対して、信号系列を過剰に割り当てることなく、必要最小限の信号系列を効率的、かつ適切に割り当てることができる。
【０１０１】
また、セル半径補正部３により、基地局からの電波を送信するアンテナの高さと当該電波の送信方向とに基づいてエリア半径を算出することで、実際に電波が届くサービスエリアに近いセル半径を算出することができる。または、セル半径補正部３により、基地局と当該基地局からの電波を送信するアンテナとの伝搬遅延も考慮してエリア半径を算出することで、実際に電波が届くサービスエリアに近いセル半径を算出することができる。なお、伝搬遅延をもたらす具体例としては、例えば、距離が挙げられる。または、セル半径補正部３により、基地局からの電波を中継して増幅させる電波増幅装置の装置内遅延量と電波の増幅度合いとに基づいてエリア半径を算出することで、実際に電波が届くサービスエリアに近いセル半径を算出することができる。そして、そのセル半径に基づき信号数を算出して信号系列を割り当てることで、基地局セクタに対して、必要最小限の信号系列を効率的、かつ適切に割り当てることができる。
【０１０２】
また、分割信号テーブル選択部６により、各基地局セクタに対して、それぞれ独立した分割信号テーブルを割り当てることができ（例えば図９のＴａｂｌｅ１とＴａｂｌｅ２）、信号系列をより柔軟に割り当てることができる。また、分割信号テーブル選択部６により、図１０の境界セクタＡ１と境界セクタＢ１とのように、境界エリアに対して、隣接する他の管理主体の境界エリアと異なる分割信号テーブルが選択されることで、基地局セクタに対して、他の管理主体が管理する管轄との干渉も考慮に入れて、必要最小限の信号系列を効率的、かつ適切に割り当てることができる。また、分割信号テーブル選択部６により、周辺の基地局セクタとは異なる分割信号テーブルが選択されることで、周辺の信号系列の干渉を受けず、接続品質に影響を与えることがなくなる。つまり、基地局セクタに対して、周辺の信号系列の干渉も考慮に入れて、必要最小限の信号系列を効率的、かつ適切に割り当てることができる。
【０１０３】
また、信号系列割当部７により、図１１に示したように、所定の基点との距離が短い基地局セクタから順に信号系列を割り当てることで、周辺の基地局セクタで信号が重複しないようにすることができる。また、信号系列割当部７により、図１３で示したフローチャートのように信号系列を割り当てることで、周辺の基地局セクタで信号の重複がないように、あるいは同じ信号を割り当てられた基地局セクタとなるべく離隔距離がとれるように、繰り返し信号系列を効率的、かつ適切に割り当てることができる。
【０１０４】
また、信号系列割当部７により、基地局の複数の基地局セクタのうち、同一基地局内の基地局セクタ間及び、異なる基地局間においても同期がとられている場合において、割り当てられたＬｏｃａｌ  ＩＤが互いに異なる基地局セクタに、重複する信号を含む信号系列を割り当てる。このような場合、当該基地局セクタにおいて、基地局に対する信号系列の送信タイミングが互いに異なる（衝突しない）ため、重複する信号を含む信号系列を割り当てても移動機は通信接続することが可能である。つまり、信号系列を割り当てるエリアに対して、信号系列を過剰に割り当てることなく、必要最小限の信号系列を割り当てることができる。
【０１０５】
また、信号系列割当部７により、基地局の複数の基地局セクタのうち、割り当てられたＬｏｃａｌ  ＩＤが互いに異なり、かつ信号数算出部５により算出された信号数が互いに同じである基地局セクタに、同じ信号を含む信号系列を割り当てる。これにより、信号系列を割り当てるエリアに対して、信号系列を過剰に割り当てることなく、必要最小限の信号系列を割り当てることができる。
【０１０６】
また、信号系列割当部７により、当該基地局のうち、信号数算出部５により算出された信号数が大きい基地局セクタ順に信号系列を割り当てる。これにより、基地局の複数の基地局セクタのうち、割り当てられたＬｏｃａｌ  ＩＤが互いに異なる基地局セクタに、重複する信号を含む信号系列を割り当てる際の処理が具体化され、繰り返し信号系列を割り当てることができる。
【０１０７】
また、信号系列割当部７により、一の基地局セクタに信号系列を割り当てる際、当該一の基地局セクタにおける割り当てられたＬｏｃａｌ  ＩＤと同じであり、かつ当該信号系列を構成する信号と同じ信号を少なくとも１つ含む信号系列を割り当てた他の基地局セクタと、一の基地局セクタとの離隔距離を確保できる信号系列を割り当てる。これにより、割り当てられたＬｏｃａｌ  ＩＤが同じである基地局セクタ同士で信号の重複がないように、あるいは、割り当てられたＬｏｃａｌ  ＩＤが同じで同じ信号を割り当てられた基地局セクタとなるべく離隔距離がとれるように、繰り返し信号系列を割り当てることができる。
【０１０８】
また、信号系列割当部７により、一の基地局セクタに離隔距離を確保できる信号系列を割り当てることができない場合、他の基地局セクタのＬｏｃａｌ  ＩＤを異なるＬｏｃａｌ  ＩＤに変更する。これにより、割り当てられたＬｏｃａｌ  ＩＤが同じである基地局セクタ同士で信号の重複がないように、あるいは、割り当てられたＬｏｃａｌ  ＩＤが同じで同じ信号を割り当てられた基地局セクタとなるべく離隔距離がとれるように、繰り返し信号系列を割り当てることができる。
【０１０９】
なお、本実施形態では、信号系列割当部７は、分割信号テーブル選択部６により当該基地局セクタに対して選択された分割信号テーブルに含まれる信号を割り当てるものとして説明しているが、これに限るものではない。例えば、所定の条件を満たした場合は、他の分割信号テーブルに含まれる信号から構成される信号系列を割り当てることができる。
【０１１０】
また、本実施形態では、各基地局セクタに対して順番に信号系列を割り当てているが、これに限るものではない。例えば、ある基地局セクタＡに信号系列を割り当てた後に、別の基地局セクタＢの信号系列を割り当てる際、離隔距離確保の関係上、基地局セクタＡの（すでに割り当て済みの）信号系列を別の信号系列に再割り当てすることができる。このように、すでに割り当て済みの信号系列を再割り当てすることで、信号系列をより効率的、かつ適切に割り当てることができる。
【符号の説明】
【０１１１】
１…信号系列割当装置１、２…セル半径算出部２、３…セル半径補正部３、４…所要信号算出部４、５…信号数算出部５、６…分割信号テーブル選択部６、７…信号系列割当部７、８…設計データベース管理部８、９…基地局諸元管理部９、１０…設定パラメータ管理部１０、１１…信号系列管理部１１、５１…ＣＰＵ、５２…ＲＡＭ、５３…ＲＯＭ、５４…入力装置、５５…出力装置、５６…通信モジュール、５７…補助記憶装置
【図１】
2011188475.tif 000003
【図２】
2011188475.tif 000004
【図３】
2011188475.tif 000005
【図４】
2011188475.tif 000006
【図５】
2011188475.tif 000007
【図６】
2011188475.tif 000008
【図７】
2011188475.tif 000009
【図８】
2011188475.tif 000010
【図９】
2011188475.tif 000011
【図１０】
2011188475.tif 000012
【図１１】
2011188475.tif 000013
【図１２】
2011188475.tif 000014
【図１３】
2011188475.tif 000015
【図１４】
2011188475.tif 000016
【図１５】
2011188475.tif 000017
【図１６】
2011188475.tif 000018
【図１７】
2011188475.tif 000019